(57)【要約】【課題】建築物に物品を取り付ける場合の作業を容易化する。【解決手段】先端部にネジ部５０ａを有し、建築物の躯体Ｂから突出した複数の軸状部材５０と、個々の軸状部材５０のネジ部５０ａに螺合したナット部材５２とを備え、軸状部材５０が貫通される取付孔３１ａを有したブラケット３０を建築物の躯体Ｂとナット部材５２との間に保持させるようにした取付構造であって、複数の軸状部材５０は、基端部が連結ロッド部５１によって互いに連結され、かつネジ部５０ａを有した個々の先端部が建築物の躯体Ｂに設けた軸挿通孔ｂを介して躯体Ｂの外側表面から突出している。【選択図】図７
2018003365.tif 000002
【特許請求の範囲】
【請求項１】
先端部にネジ部を有し、建築物の躯体から突出した複数の軸状部材と、個々の軸状部材のネジ部に螺合したナット部材とを備え、前記軸状部材が貫通される取付孔を有した物品を前記建築物の躯体と前記ナット部材との間に保持させるようにした物品の取付構造であって、
前記複数の軸状部材は、基端部が互いに連結され、かつネジ部を有した個々の先端部が前記建築物の躯体に設けた軸挿通孔を介して前記躯体の外側表面から突出していることを特徴とする物品の取付構造。
【請求項２】
前記複数の軸状部材は、連続する１本の円柱材によって成形されていることを特徴とする請求項１に記載の物品の取付構造。
【請求項３】
前記複数の軸状部材は、基端部が共通の連結部材に接合されていることを特徴とする請求項１に記載の物品の取付構造。
【請求項４】
前記建築物の躯体と前記物品との間に躯体取付用部材が介在されていることを特徴とする請求項１に記載の物品の取付構造。
【発明の詳細な説明】
【技術分野】
【０００１】
本発明は、建築物に物品を取り付ける構造に関するものである。
【背景技術】
【０００２】
建築物の外壁面から突出するようにバルコニー等の屋外構造体を設ける場合には、建築物の躯体に躯体取付用部材を介して複数のブラケット（物品）を固定し、これらブラケットの先端部間に前桁を連結して床部を構成するようにしている。ブラケットは、鋼材によって成形された構造部材である。躯体にブラケットを取り付ける場合には、躯体に設けた軸挿通孔及びブラケットの取付プレートに設けた取付孔にボルト部材を貫通し、躯体の外側表面から突出するボルト部材のネジ部にナット部材を螺合するようにしている。この取付構造によれば、躯体取付用部材及びブラケットが共通のボルト部材によって取り付けられるため、それぞれを個別のボルト部材によって取り付ける場合に比べて部品点数の削減を図ることが可能となる（例えば、特許文献１参照）。
【先行技術文献】
【特許文献】
【０００３】
【特許文献１】特開２００４−２１８３２３号公報
【発明の概要】
【発明が解決しようとする課題】
【０００４】
ところで、ボルト部材のネジ部にナット部材を螺合するためには、躯体に対するボルト部材の相対回転を阻止しておく必要がある。特許文献１では、別途ネジを螺合することによって躯体に対するボルト部材の相対回転を阻止するようにしている。しかしながら、ブラケットを躯体に取り付けるためには、複数のボルト部材が必要であり、しかも屋外構造体の床部を構成するには、複数のブラケットが必要となる。このため、ボルト部材の相対回転を阻止するために必要となるネジの本数も多数となり、屋外構造体の取付作業を煩雑化する要因となり得る。なお、上述の問題は、バルコニーの床部を設ける場合にのみならず、ボルト部材等のようにネジ部を有した軸状部材にナット部材を螺合することよって物品を取り付ける場合に共通の課題となる。
【０００５】
本発明は、上記実情に鑑みて、建築物に物品を取り付ける場合の作業を容易化することのできる取付構造を提供することを目的とする。
【課題を解決するための手段】
【０００６】
上記目的を達成するため、本発明に係る物品の取付構造は、先端部にネジ部を有し、建築物の躯体から突出した複数の軸状部材と、個々の軸状部材のネジ部に螺合したナット部材とを備え、前記軸状部材が貫通される取付孔を有した物品を前記建築物の躯体と前記ナット部材との間に保持させるようにした物品の取付構造であって、前記複数の軸状部材は、基端部が互いに連結され、かつネジ部を有した個々の先端部が前記建築物の躯体に設けた軸挿通孔を介して前記躯体の外側表面から突出していることを特徴とする。
【０００７】
この発明によれば、ネジ部を有した軸状部材の基端部が互いに連結されているため、躯体の軸挿通孔に挿通した時点で躯体に対する軸状部材の相対回転が阻止された状態となる。従って、軸状部材の相対回転を阻止するための特別な作業が不要となり、物品を取り付ける際の作業を容易化することが可能となる。
【０００８】
また本発明は、上述した物品の取付構造において、前記複数の軸状部材は、連続する１本の円柱材によって成形されていることを特徴とする。
【０００９】
この発明によれば、鋼材を折り曲げ成形すれば、基端部が連結された軸状部材を構成することが可能であり、溶接等の接合作業が不要となるため、製造作業を容易化することができる。
【００１０】
また本発明は、上述した物品の取付構造において、前記複数の軸状部材は、基端部が共通の連結部材に接合されていることを特徴とする。
【００１１】
この発明によれば、３本以上の軸状部材を互いに連結することが可能であり、躯体の軸挿通孔に挿通させる作業を容易化することができる。
【００１２】
また本発明は、上述した物品の取付構造において、前記建築物の躯体と前記物品との間に躯体取付用部材が介在されていることを特徴とする。
【００１３】
この発明によれば、物品と躯体との間に躯体取付用部材が介在するため、物品に加えられた外力が直接外壁材に加えられる事態を防止することができる。
【発明の効果】
【００１４】
本発明によれば、ネジ部を有した軸状部材の基端部が互いに連結されているため、躯体の軸挿通孔に挿通した時点で躯体に対する軸状部材の相対回転が阻止された状態となる。従って、軸状部材の相対回転を阻止するための特別な作業が不要となり、物品を取り付ける際の作業を容易化することが可能となる。
【図面の簡単な説明】
【００１５】
【図１】図１は、本発明の実施の形態１である取付構造を適用してバルコニーを取り付けた建築物の斜視図である。
【図２】図２は、図１に示したバルコニーのデッキ部を示す縦断面図である。
【図３】図３は、図１に示したバルコニーに適用するブラケット及び躯体取付用部材の取付構造を示す分解斜視図である。
【図４】図４は、図３に示した躯体取付用部材の要部拡大図である。
【図５】図５は、建築物の躯体に躯体取付用部材を取り付ける直前の状態を示した要部分解縦断面図である。
【図６】図６は、建築物の躯体に躯体取付用部材を取り付けた状態の要部分解縦断面図である。
【図７】図７は、建築物の躯体にブラケットを取り付ける直前の状態を示す要部分解縦断面図である。
【図８】図８は、建築物の躯体にブラケットを取り付けた状態の要部分解縦断面図である。
【図９】図９は、本発明の取付構造で適用する軸状部材の変形例を示すもので、（ａ）は軸状部材を端面側から見た図、（ｂ）は軸状部材を側方側から見た図である。
【図１０】図１０は、本発明の実施の形態２である取付構造を適用して庇を取り付けた建築物の要部縦断面図である。
【発明を実施するための形態】
【００１６】
以下、添付図面を参照しながら本発明に係る物品の取付構造の好適な実施の形態について詳細に説明する。
図１及び図２は、本発明の実施の形態１である物品の取付構造を適用したバルコニーを示したものである。ここで例示するバルコニー１は、建築物の外壁面から突出するように設けたデッキ部１０と、デッキ部１０の周囲上面に設けた手摺り部２０とを備えて構成したものである。デッキ部１０は、外壁面から突出するように設けた左右の妻梁１１と、妻梁１１の先端部間に取り付けた前桁１２と、これら妻梁１１及び前桁１２によって囲まれる領域を覆うように配設したデッキ材１３とを備えて構成したもので、ブラケット（物品）３０及び躯体取付用部材４０を介して建築物の躯体、例えば、胴差しＢの外側表面に取り付けてある。
【００１７】
ブラケット３０は、デッキ部１０と胴差しＢとの間に介在する構造体である。本実施の形態１では、矩形の平板状を成す取付板部３１と、取付板部３１の一方の表面から突出した支持アーム部３２とを有したブラケット３０を適用している。取付板部３１及び支持アーム部３２は、それぞれ鋼材によって成形してあり、互いの間が溶接によって接合してある。取付板部３１の四隅部には、それぞれ取付孔３１ａが設けてある。支持アーム部３２は、ウェブ３２ａの両端から互いにほぼ平行となるように屈曲したフランジ３２ｂを有するものである。
【００１８】
躯体取付用部材４０は、ブラケット３０と胴差しＢとの間に介在する部材であり、胴差しＢの上下方向に沿った寸法とほぼ同じ幅で、左右に長手となる矩形の外形に構成してある。本実施の形態１では、アルミニウム合金等の金属によって成形した押し出し形材から成り、基板部４１、上方ヒレ部４２、下方ヒレ部４３を一体に成形した躯体取付用部材４０を適用している。基板部４１は、表面が平板状を成す一方、胴差しＢの外側表面に対向する裏面に複数の補強リブ４４を有している。基板部４１においてブラケット３０を取り付ける部分には、取付板部３１の取付孔３１ａに対応した位置に取付孔４１ａが設けてある。上方ヒレ部４２は、基板部４１の上端縁から室外側に向けて延在する部分であり、下方ヒレ部４３は、基板部４１の下端縁から室外側に向けて延在する部分である。躯体取付用部材４０の両端部には、それぞれキャップ部材４５が装着してある。
【００１９】
これらブラケット３０及び躯体取付用部材４０を胴差しＢに取り付けるための固定具としては、躯体取付用部材４０に設けた複数の取付孔４１ａにそれぞれ軸状部材５０を挿通させるようにしている。軸状部材５０は、それぞれの先端部にネジ部５０ａを有したものであり、隣接する２本の基端部が連結ロッド部（連結部材）５１によって互いに連結してある。連結ロッド部５１は、軸状部材５０と同じ外径を有した断面が円形の軸状部材であり、躯体取付用部材４０の隣接する取付孔４１ａのピッチと同じ長さを有している。本実施の形態１では、１本の鋼材からなる円柱材の両端部にそれぞれネジ部５０ａを形成するとともに、中間の２カ所をほぼ９０°に折り曲げ成形することにより基端部が連結された２本の軸状部材５０を構成している。
【００２０】
以下、建築物の外壁面にバルコニー１のデッキ部１０を取り付ける場合の手順について説明する。まず、図５に示すように、建築物の胴差しＢにおいてブラケット３０を取り付ける位置にそれぞれ軸挿通孔ｂを形成する。それぞれの軸挿通孔ｂには、図６に示すように、室内側からそれぞれ軸状部材５０を挿通させる。さらに、軸状部材５０の先端部に取付孔４１ａを介して躯体取付用部材４０を装着し、軸状部材５０のネジ部５０ａにナット部材５２を螺合することにより、胴差しＢの外側表面に躯体取付用部材４０を仮止めしておく。
【００２１】
この状態においては、胴差しＢに設けた軸挿通孔ｂに軸状部材５０が挿通しているため、軸挿通孔ｂにゴミ等の異物が進入する事態を招来することがない。しかも、胴差しＢの外側表面からは、躯体取付用部材４０及び軸状部材５０の先端部のみが突出した状態である。従って、建築物の外周に足場を組んだ場合にも、これら躯体取付用部材４０や軸状部材５０が足場と干渉することはない。さらに、躯体取付用部材４０は、矩形状を成し、かつ上方ヒレ部４２、下方ヒレ部４３及びキャップ部材４５によって四周が仕切られた状態にある。従って、足場を利用することにより、図７に示すように、躯体取付用部材４０を除いた部分に外壁材Ｓを容易に施工することが可能となる。
【００２２】
外壁材Ｓの施工が終了した後においては、軸状部材５０に螺合していたナット部材５２を弛緩して一旦取り外し、取付孔３１ａを介して軸状部材５０にブラケット３０を取り付ける。しかる後、再び軸状部材５０のネジ部５０ａにナット部材５２を螺合すれば、図８に示すように、胴差しＢの外側表面に躯体取付用部材４０を介してブラケット３０を固定することができる。従って、このブラケット３０を基準として左右の妻梁１１及び前桁１２を設けるとともに、デッキ材１３を配設すれば、図２に示すように、バルコニー１のデッキ部１０を建築物の外壁面に取り付けることが可能となる。
【００２３】
これらの間、この取付構造によれば、隣接する軸状部材５０の基端部が互いに連結されているため、胴差しＢの軸挿通孔ｂに挿通した時点で胴差しＢに対する相対回転が阻止された状態となる。従って、胴差しＢに対する軸状部材５０の相対回転を阻止するための特別な作業を何ら要することなく、ネジ部５０ａにナット部材５２を螺合したり、弛緩したりする作業を容易に行うことが可能となる。
【００２４】
なお、上述した実施の形態１では、１本の鋼材からなる円柱材の両端部にそれぞれネジ部５０ａを形成するとともに、中間部を適宜折り曲げ成形することにより基端部が連結された２本の軸状部材５０を構成しているため、軸状部材５０を接合するための作業が不要となる。しかしながら、本発明は必ずしも軸状部材５０を１本の円柱材によって成形する必要はない。例えば、図９の変形例に示すように、別途用意した共通の連結プレート（連結部材）５３にそれぞれ軸状部材５０の基端部を接合するようにしても良い。この変形例によれば、３本以上の軸状部材５０を連結することができるため、物品を取り付ける場合に多数の軸状部材５０を単一の部品として取り扱うことが可能である。なお、軸状部材５０の基端部に接合する連結部材としては、必ずしもプレート状のものに限らない。例えばロッド状の部材を適用して３以上の軸状部材５０を連結することも可能である。
【００２５】
また、上述した実施の形態１では、バルコニー１のデッキ部１０を胴差しＢに固定する際に適用するブラケット３０の取付構造について例示しているが、本発明は建築物の躯体から突出した軸状部材によって取り付けられるものであれば、その他の物品を取り付ける場合にも適用することが可能である。
【００２６】
例えば、図１０に示す実施の形態２では、建築物の外壁面に庇（物品）３５を取り付けた構造を示すものである。この取付構造では、庇３５を取り付ける部分にも外壁材Ｓを施工し、外壁材Ｓに設けた取付孔ｓを介して軸状部材５０の先端部を突出させるようにしている。適用する軸状部材５０は、先端部にネジ部５０ａを有するとともに、基端部の間が連結ロッド部５１によって連結された実施の形態１と同様であり、躯体Ｂの軸挿通孔ｂに貫通してある。
【００２７】
この実施の形態２の取付構造では、外壁材Ｓから突出する軸状部材５０のネジ部５０ａにナット部材５２を螺合することにより、外壁材Ｓの表面に庇３５を固定している。この実施の形態２においても、軸状部材５０が躯体Ｂに対して相対回転しないため、ナット部材５２を螺合する作業を容易化できるのは、実施の形態１と同様である。
【符号の説明】
【００２８】
１  バルコニー、３０  ブラケット、３１ａ  取付孔、３５  庇、４０  躯体取付用部材、５０  軸状部材、５０ａ  ネジ部、５１  連結ロッド部、５２  ナット部材、Ｂ  胴差し、ｂ  軸挿通孔
【図１】
2018003365.tif 000003
【図２】
2018003365.tif 000004
【図３】
2018003365.tif 000005
【図４】
2018003365.tif 000006
【図５】
2018003365.tif 000007
【図６】
2018003365.tif 000008
【図７】
2018003365.tif 000009
【図８】
2018003365.tif 000010
【図９】
2018003365.tif 000011
【図１０】
2018003365.tif 000012